(57)【要約】【課題】  メモリカードに保存した画像と音声を連動させて再生可能とする。【解決手段】  子側スロット６に画像や音声のデータが記憶された子メモリカード８を挿入し、親側スロット７に親メモリカード９を挿入し、所望の画像や音声のデータ転送を指示すると、制御部３１は子メモリカード８から親メモリカード９へ所望の画像や音声のデータを転送する。メモリカード９を対象に、画像と音声のデータをグループ化し、画像と音声を並行かつ同期して切り換え出力するためのグループ化再生条件の設定操作をすると、制御部３１は設定されたグループ化再生条件を親メモリカード９に登録する。所望の再生グループを選択すると、制御部３１は親メモリカード９のグループ化再生条件に従い、所望グループにつきグループ化された画像と音声のデータを用いて、設定条件下で同期して切り換えられる映像と音声の信号を形成させ、表示部４とスピーカ２９に並行出力させる。【選択図】        図２
2011087210.tif 000002
【特許請求の範囲】
【請求項１】
映像信号を入力して表示を行なう表示手段と、
音声信号を入力して音響変換する音響変換手段と、
画像データまたは音声データの記憶された可搬形の第１の外部記憶手段に対し読み出しを行なう第１のアクセス手段と、
複数の画像データと複数の音声データが蓄積可能な可搬形の第２の外部記憶手段に対し読み書きを行なう第２のアクセス手段と、
ユーザの指示に従い、第１、第２のアクセス手段により、第１の外部記憶手段から第２の外部記憶手段に所望の画像データまたは音声データを転送させる転送手段と、
第２の外部記憶手段に記憶された画像データと音声データを対象にして、１以上の画像データと１以上の音声データをグループ化し、画像と音声を並行かつ同期して切り換え出力するためのグループ化再生条件の設定操作をするグループ化再生条件設定操作手段と、
グループ化再生条件設定操作手段で設定されたグループ毎のグループ化再生条件情報を第２の外部記憶手段に記憶させて登録する登録手段と、
第２の外部記憶手段に記憶されたグループ化再生条件情報の中から再生を所望する１または複数のグループを選択する選択手段と、
選択手段で選択された各グループにつき、グループ化再生条件情報に従い、第２の外部記憶手段に記憶された内、グループ化された画像データと音声データを用いて、設定された条件下で互いに同期して切り換えられる映像信号と音声信号を形成し、表示手段と音響再生手段に並行して出力する再生手段と、
を備えたことを特徴とする画像・音声再生装置。
【請求項２】
グループ化再生条件には、１以上の画像データと１以上の音声データを特定する情報と、画像と音声の出力順位と出力切り換え時間間隔の内の少なくとも一方と、を含むことを特徴とする請求項１記載の画像・音声再生装置。
【発明の詳細な説明】
【技術分野】
【０００１】
本発明は画像・音声再生装置に係り、とくに画像と音声を切り換えながら同時出力可能な画像・音声再生装置に関する。
【背景技術】
【０００２】
従来、写真立てはプリントした紙写真をガラス板と背面板との間に挟むようにしていたが、近年のディジタルカメラの普及を受けてディジタルカメラで撮像した画像データを用い、表示パネルに直接ディジタル画像を表示するようにしたディジタルフォトフレームと呼ばれる画像再生装置が実用化され、急速に普及し始めている。
この種のディジタルフォトフレームの一例である特開２００１−１６５３６（特許文献１）に開示された電子写真立ては、カードリーダ部、表示部、制御・処理回路等を備え、ディジタルカメラで撮像した画像データの記憶されたメモリカードをカードリーダ部に挿入し、リモコンで例えば単独かつスライド表示を選択すると、メモリカードに記憶された複数枚の画像データに基づき、一定時間間隔でスライドショー表示がされるようになっている。
【０００３】
しかしながら、上記した従来のディジタルフォトフレームのスライドショー機能では、画像しか切り換え出力させることができず、ユーザがディジタルカメラやオーディオシステム等を用いてメモリカードに保存した画像と音声を連動させて再生出力することは出来なかった。
【先行技術文献】
【特許文献】
【０００４】
【特許文献１】特開２００１−１６５３６号公報
【発明の概要】
【発明が解決しようとする課題】
【０００５】
本発明は上記した従来技術の問題に鑑み、ユーザが記憶媒体に保存した画像と音声を連動させて再生出力させることのできる画像・音声再生装置を提供することを、その目的とする。
【課題を解決するための手段】
【０００６】
本発明の１つは、映像信号を入力して表示を行なう表示手段と、音声信号を入力して音響変換する音響変換手段と、画像データまたは音声データの記憶された可搬形の第１の外部記憶手段に対し読み出しを行なう第１のアクセス手段と、複数の画像データと複数の音声データが蓄積可能な可搬形の第２の外部記憶手段に対し読み書きを行なう第２のアクセス手段と、ユーザの指示に従い、第１、第２のアクセス手段により、第１の外部記憶手段から第２の外部記憶手段に所望の画像データまたは音声データを転送させる転送手段と、第２の外部記憶手段に記憶された画像データと音声データを対象にして、１以上の画像データと１以上の音声データをグループ化し、画像と音声を並行かつ同期して切り換え出力するためのグループ化再生条件の設定操作をするグループ化再生条件設定操作手段と、グループ化再生条件設定操作手段で設定されたグループ毎のグループ化再生条件情報を第２の外部記憶手段に記憶させて登録する登録手段と、第２の外部記憶手段に記憶されたグループ化再生条件情報の中から再生を所望する１または複数のグループを選択する選択手段と、選択手段で選択された各グループにつき、グループ化再生条件情報に従い、第２の外部記憶手段に記憶された内、グループ化された画像データと音声データを用いて、設定された条件下で互いに同期して切り換えられる映像信号と音声信号を形成し、表示手段と音響再生手段に並行して出力する再生手段と、を備えたことを特徴としている。
また、本発明の他の１つでは、グループ化再生条件には、グループ化再生条件には、１以上の画像データと１以上の音声データを特定する情報と、画像と音声の出力順位と出力切り換え時間間隔の内の少なくとも一方と、を含むようにしたことを特徴としている。
【発明の効果】
【０００７】
本発明によれば、第２の外部記憶手段に蓄積された画像データと音声データを対象にして１以上の画像データと１以上の音声データをグループ化し、画像と音声を並行かつ同期して切り換え出力するためのグループ化再生条件を設定すると、該グループ化再生条件情報がグループ毎に第２の外部記憶手段に登録され、所望グループの再生を指示すると、グループ化再生条件に従い、グループ化された画像データと音声データを用いて、設定された条件下で互いに同期して切り換えられる画像と音声が並行して再生されるので、簡単な操作で画像と音声を連動させた高度な再生出力が可能となる。
また、第２の外部記憶手段に画像データと音声データに加えてグループ化再生条件情報が登録されるので、第２の外部記憶手段を他の人に渡し、設定者の意図通りに再生させることもできる。
更に、第１の外部記憶手段から第２の外部記憶手段へ画像データと音声データを転送できるので、ディジタルカメラやオーディオシステム等で第１の外部記憶手段に記録させた画像データや音声データを簡単に第２の外部記憶手段へ蓄積することもできる。
【図面の簡単な説明】
【０００８】
【図１】本発明の画像・音声再生装置の一実施例に係るディジタルフォトフレームの外観図である。（実施例１）
【図２】図１のディジタルフォトフレームの回路構成を示すブロック図である。
【図３】図２の制御部の制御処理を示すフローチャートである。
【図４】図２の制御部の制御処理を示すフローチャートである。
【図５】図２の制御部の制御処理を示すフローチャートである。
【図６】図２の制御部の制御処理を示すフローチャートである。
【図７】図２の制御部の制御処理を示すフローチャートである。
【図８】表示部の画面表示例を示す説明図である。
【図９】表示部の画面表示例を示す説明図である。
【図１０】表示部の画面表示例を示す説明図である。
【図１１】表示部の画面表示例を示す説明図である。
【図１２】表示部の画面表示例を示す説明図である。
【図１３】グループ化再生条件とグループ化再生動作の関係を示す説明図である。
【発明を実施するための形態】
【０００９】
以下、本発明の実施の形態を実施例に基づき説明する。
【実施例１】
【００１０】
図１は本発明の画像・音声再生装置の一実施例に係るディジタルフォトフレームの外観図である。
１はディジタルフォトフレームであり、台２の上に箱形の本体３が支持されており、この本体３の前面に方形の液晶式の表示部４が装着されている。台２の前面には赤外線式の手元操作器（図２の符号１０参照）から発射された赤外線を受光する受光部５が設けられている。手元操作器１０には、上下左右の方向キー、確定キー、メニューキーなどが設けられており、ユーザのキー操作に応じたキー操作信号を含むリモコン信号が発射される。本体３の左右側面には子側メモリスロット６、親側メモリスロット７が設けられており、子側メモリスロット６にはディジタルカメラで撮像した画像データやオーディオシステム等で録音したり、ネットワークからダウンロードしたりした楽曲を含む音声データを記憶したメモリカードを子メモリカード８として着脱自在に挿入可能になっている。親側メモリスロット７には多数の画像データと音声データを蓄積可能なメモリカードを親メモリカード９として着脱自在に挿入可能になっている。子メモリカード８、親メモリカード９には、ＳＤメモリカード、ＳＤＨＣメモリカード、ＭＭＣ（マルチメディアカード）、メモリースティック、Ｃｏｍｐａｃｔ  Ｆｌａｓｈなどの外部記憶媒体である。
【００１１】
図２はディジタルフォトフレームの電気的構成を示すブロック図である。２０は子側メモリスロット６に接続された第１のアクセス手段としての第１リード／ライト部であり、子側メモリスロット６に挿入された子メモリカード８に対する読み書きをする。２１は親側メモリスロット７に接続された第２のアクセス手段としての第２リード／ライト部であり、親側メモリスロット７に挿入された親メモリカード９に対する読み書きをする。２２は受光部５を含むリモコン受信部であり、受光部５の受光信号からキー操作信号を復元する。２３は画像デコーダ部であり、ＪＰＥＧ形式などの圧縮画像データを伸長して１枚分の非圧縮の静止画データに変換する。２４は１画面分の記憶領域を有する画像記憶部、２５は画像記憶部２４に記憶された画像データを読み出し映像信号に変換して表示部４に出力するＤ／Ａ変換部である。２６は音声デコーダ部であり、ｍｐ３形式などの圧縮音声データを伸長して非圧縮の音声データに変換する。音声デコーダ部２６は音声再生開始後の経過時間情報を抽出して出力する機能も有する。２７は音声データをアナログ音声信号に変換するＤ／Ａ変換部、２８は音声信号の電力増幅を行うアンプ部、２９は音声信号を入力して音響再生するスピーカである。
【００１２】
３０はフラッシュメモリで形成された内蔵メモリ部であり、手元操作器１０での各種操作を補完するＧＵＩ処理、親メモリカード９のフォーマット（初期化）処理、子メモリカード８から親メモリカード９へのデータ転送処理、画像と音声のグループ化再生条件の設定・登録処理、グループ化再生制御処理などを行なうための各種プログラムが内蔵されるとともに、各種データの一時記憶、長期記憶に使用される作業領域などが設けられている。３１は制御部であり、内蔵メモリ部３０に記憶されたプログラムに基づき、装置各部に対して上記した処理を含む各種制御処理を実行する。
制御部３１は、グループ化再生条件設定・登録処理では、ユーザの操作に従い、親メモリカード９に蓄積された多数の画像データと音声データを対象として、１以上の画像データと１以上の音声データをグループ化し、画像と音声を並行して出力し、かつ同期して切り換え出力するのに用いる画像データと音声データの特定情報（ここではデータのファイル名とする）、画像と音声の各出力順位、出力切り換え時間間隔を含むグループ化再生条件をグループ単位で設定・登録する処理を行なう。また、グループ化再生制御処理では、ユーザがグループ再生を所望したグループについてグループ化再生条件に従い、当該グループの画像データと音声データを各々適宜交替させながら画像デコーダ部２３、音声デコーダ２６に出力して映像信号と音声信号に変換させ、画像と音声の並行かつ同期切り換え出力を行なわせる。
【００１３】
図３乃至図７は制御部３１の実行する制御処理を示すフローチャート、図８乃至図１２はＧＵＩ画面の説明図、図１３はグループ化再生動作の説明図であり、以下、これらの図を参照して上記した実施例の動作を説明する。
【００１４】
（１）メニュー表示
本体３の電源がオンするか、本体３の電源オン中に手元操作器１０のメニューキー（図示せず）が押されてリモコン受信部２２からメニューキー操作信号が入力されると、制御部３１は画像記憶部２４にメニュー画像を描画し、表示部４の画面４Ａに表示させる（図３のステップＳ１０、図８（１）参照）。メニュー画像には、「親メモリフォーマット」、「子メモリ→親メモリデータ転送」、「プレイリスト作成」、「プレイリスト再生」のボタンＢ１１〜Ｂ１４が上下に並べて表示され、「親メモリフォーマット」がハイライト表示されてカーソル位置が示される（図８（１）の斜線部分参照）。「プレイリスト作成」と「プレイリスト再生」は、グループ化再生条件の設定とグループ化再生を意味する。手元操作器１０の上下キーを操作することで、カーソルを上下に移動することができる（なお、ボタンが左右にも配置されているときは、左右キーを操作することでカーソルを左右にも移動できるようになっている）。
【００１５】
（２）親メモリフォーマット
親メモリカード９をフォーマットしたい場合、メニュー画像の「親メモリフォーマット」のボタンＢ１１にカーソルを合わせ、手元操作器１０で確定キーを押すと、制御部３１は親メモリフォーマットが指示されたとして、まず、第２リード／ライト部２１により親側メモリスロット７に親メモリカード９が挿入されているか検知させ、されていなければ「親側のスロットに親メモリカードを挿入して下さい」の案内画像を表示させる（ステップＳ１１〜Ｓ１３）。ユーザにより親側メモリスロット７に親メモリカード９が挿入されたことが検知されると、第２リード／ライト部２１により初期化データを書き込ませてフォーマットさせる（ステップＳ１４）。フォーマットが終ると、制御部３１は、画像データ格納フォルダ、音声データ格納フォルダ、プレイリスト格納フォルダを含む親メモリカード管理情報を親メモリカード９に記憶させる（ステップＳ１５）。なお、プレイリスト格納フォルダの下位には、「旅行」、「記念日」などのタイトル固定フォルダと初期状態では「user01〜「user09」とされた９個のタイトル変更可能なフリータイトルフォルダが含まれる。後述するようにこれらのタイトル固定フォルダとフリータイトルフォルダの下位に各々グループ化再生条件情報（プレイリストデータ）が記憶される。タイトル固定フォルダとフリータイトルフォルダの各々が１つの再生グループに対応する。
【００１６】
（３）子メモリカードから親メモリカードへのデータ転送
ディジタルカメラで撮像した多数の画像データ（ここでは、ファイル名付のＪＰＥＧ形式データファイルとする）を親メモリカード９へ転送したい場合、メニュー画像の「子メモリ→親メモリカードデータ転送」のボタンＢ１２にカーソルを合わせ、手元操作器１０で確定キーを押すと、制御部３１は子メモリカード８から親メモリカード９へのデータ転送が指示されたとして（図４のステップＳ２０でＹＥＳ）、まず、第１、第２リード／ライト部２０、２１により子メモリカード８、親メモリカード９が挿入されているか検知させて子メモリカード８と親メモリカード９が挿入されているかチェックし（ステップＳ２１）、いずれかまたは両方されていなければ「子側のスロットに子メモリカード、親側のスロットに親メモリカードを挿入して下さい」の案内画像を表示させる（ステップＳ２２）。ユーザにより子側メモリスロット６に子メモリカード８、親側メモリスロット７に親メモリカード９が挿入されたことが検知されると、制御部３１は画像か音声かの選択枝を表示させ（ステップＳ２３、図８（２）参照）、ユーザが手元操作器１０で「画像」ボタンＢ１５を選択すると、制御部３１は、子メモリカード８から各画像データのファイル名を読み出させ、一覧表示させ、一番左上の１つをハイライト表示し、カーソルを示す（ステップＳ２４、Ｓ２５、図８（３）参照）。手元操作器１０の上下左右キーを操作してカーソルを所望の画像データのファイル名の位置に移動し、確定キーを押すと、制御部３１はチェックボックスＣ１１、Ｃ１２、・・の内、該当個所にチェックを入れて選択済であることを示す。下の次ボタンＢ１６までカーソルを移動し、確定キーを押すと制御部３１は次頁の一覧を表示させ、一番上の前ボタンＢ１７を押すと前頁の一覧を表示させる。転送を所望する全ての画像データを選択したとき、一番下の転送ボタンＢ１８を押すと、制御部３１は第１リード／ライト部２０を制御し、選択済の全画像データを子メモリカード８から読み出すとともに、第２リード／ライト部２１を制御し、親メモリカード９に書き込み、かつ、親メモリカード９の管理情報を書き換え、画像データ格納フォルダの下位に関連付けて、該フォルダに格納する（ステップＳ２５〜Ｓ２７）。画面は図８（２）に戻す。
【００１７】
オーディオシステム等で記録させた多数の音声データ（ここでは、ファイル名付のｍｐ３形式データファイルとする）を親メモリカード９へ転送したい場合、手元操作器１０で「音声」ボタンＢ１９を選択すると、制御部３１は、子メモリカード８から各音声データのファイル名を読み出させ、一覧表示させ、一番左上の１つをハイライト表示し、カーソルを示す（ステップＳ２８、Ｓ２９、図９（１）参照）。画像の場合と同様にして所望の１または複数の音声データを選択し、一番下の転送ボタンＢ１８を押すと、制御部３１は第１リード／ライト部２０を制御し、選択済の全音声データを子メモリカード８から読み出すとともに、第２リード／ライト部２１を制御し、親メモリカード９に書き込み、かつ管理情報を書き換え、音声データ格納フォルダの下位に関連付けて、該フォルダに格納する（ステップＳ３０、Ｓ３１）。画面は図８（２）に戻す。画面の終了ボタンＢ２０にカーソルを合わせ、確定キーを押すと、制御部３１はデータ転送の終了が指示されたとして、元のメニュー画面に戻る（ステップＳ３２でＹＥＳ）。
同様の操作を繰り返すことで、様々な場面で撮像した画像データと様々な楽曲等の音声データを１つの親メモリカード９に蓄積することができる。
【００１８】
（４）グループ化再生条件の設定
親メモリカード９に蓄積された大量の画像データと音声データを対象にして、所望の１以上の画像データと１以上の音声データをグループ化し、画像と音声を並行して出力し、かつ同期して自動切り換え出力させたい場合、予め、グループ化再生条件を設定しておく。
（４−１）タイトル入力
メニューの「プレイリストの作成」のボタンＢ１３を選択すると、制御部３１は親メモリカード９のプレイリスト格納フォルダ中のグループ化再生条件が未登録のタイトル固定フォルダとフリータイトルフォルダのタイトル名を一覧表示させる（図５のステップＳ４０、Ｓ４１、図９（２）参照）。ユーザが手元操作器１０でタイトル固定フォルダの１つを選択したときは、図１０（１）の画像選択画面へ移行させるが（ステップＳ４２、Ｓ４７）、ここではフリータイトルフォルダの１つ「user01」を選択したとき、制御部３１は図９（３）の如く文字入力カーソルＫの付いた入力窓ＤとソフトキーボードＥの表示されたタイトル名入力画面を表示させる（ステップＳ４３、Ｓ４４）。ソフトキーボードＥでは最初は「あ」の文字キーボタンｅ１がハイライト表示されてキーボードカーソルが示される。手元操作器１０の上下左右キーによりキーボードカーソルを所望文字、記号に合わせ、確定キーを押すと、文字、記号の選択が完了し、入力窓Ｄに１文字追加され、入力窓Ｄの文字入力カーソルＫが１文字分後ろに移る。例えば、「しんにゅうがく」と入力し、「変換」キーボタンｅ２を選択すると、「新入学」と入力される。ソフトキーボードＥの左右キーボタンｅ３、ｅ４を選択することで、入力窓Ｄの文字入力カーソルＫを１文字分前に戻したり、後ろに移動したりでき、ＢＳ（バックスペース）キーボタンｅ５を選択することで、入力窓Ｄの文字入力カーソルＫの直前の文字を１文字削除でき、ＤＬ（デリート）キーボタンｅ６を選択することで、入力窓Ｄの文字入力カーソルＫの直後の文字を１文字削除できる。入力後、ＥＮＴＥＲキーボタンｅ７を選択することで、タイトル名の入力が完了し（ステップＳ４５）、制御部３１は親メモリカード９の管理情報を書き換えフリータイトルフォルダ「user01」のタイトル名を「新入学」に変更する（ステップＳ４６）。
【００１９】
（４−２）画像データの選択と出力順位の設定
次に、制御部３１は画像データ格納フォルダに格納された画像データの一覧を表示させる（ステップＳ４７、図１０（１）参照）。「新入学」のタイトルに関連付けてグループ化再生したい所望の全ての画像データを選択し、完了ボタンＢ２１を押すと、制御部３１は「新入学」のタイトル用の画像データ群として選択されたファイル名を内蔵メモリ部３０に一時登録し（ステップＳ４８、Ｓ４９）、次に、出力順位を設定するか否かの選択画面を表示する（ステップＳ５０、図１０（２）参照）。ユーザが再生時に所望の順番で画像を切り換え再生させたいとき、「設定する」を選択する。すると、制御部３１は出力順位の入力画面を表示し（ステップＳ５１、Ｓ５２、図１０（３）参照）、例えば、画像データａｂｃ．ｊｐｇが１番目、ｄｅｆ．ｊｐｇが２番目、ｇｈｉ．ｊｐｇが３番目、ｊｋｌ．ｊｐｇが４番目としたいとき、ａｂｃ．ｊｐｇの右横の数字１にカーソルを合わせ、確定キーを押して選択し、同様にｄｅｆ．ｊｐｇの右横の数字２を選択し、ｇｈｉ．ｊｐｇの右横の数字３を選択し、ｊｋｌ．ｊｐｇの右横の数字４を選択し、最後に完了ボタンＢ２１にカーソルを合わせ確定キーを押すと、選択された出力順位が一時登録される（ステップＳ５３、Ｓ５４）。
【００２０】
（４−３）音声データの選択と出力順位の設定
次に、制御部３１は音声データ格納フォルダに格納された音声データの一覧を表示させる（図６のステップＳ６０、図１１（１）参照）。「新入学」のタイトルに関連付けてグループ化再生したい所望の全ての音声データを選択し、完了ボタンＢ２１を押すと、制御部３１は「新入学」のタイトル用の音声データ群として選択されたファイル名を内蔵メモリ部３０に一時登録し（ステップＳ６１、Ｓ６２）、次に、出力順位を設定するか否かの選択画面を表示する（ステップＳ６３、図１１（２）参照）。ユーザが再生時に所望の順番で音声を切り換えて再生させたいとき、「設定する」を選択する。すると、制御部３１は出力順位の入力画面を表示し（ステップＳ６４、Ｓ６５、図１１（３）参照）、例えば、音声データａａａ．ｍｐ３が１番目、ｂｂｂ．ｍｐ３が２番目、ｃｃｃ．ｍｐ３が３番目、ｄｄｄ．ｍｐ３が４番目としたいとき、ａａａ．ｍｐ３の右横の数字１にカーソルを合わせ、確定キーを押して選択し、同様にｂｂｂ．ｍｐ３の右横の数字２を選択し、ｃｃｃ．ｍｐ３の右横の数字３を選択し、ｄｄｄ．ｍｐ３の右横の数字４を選択し、完了ボタンＢ２１にカーソルを合わせ確定キーを押すと、選択された出力順位が一時登録される（ステップＳ６６、Ｓ６７）。
【００２１】
（４−４）出力切り換え時間間隔の設定
次に、制御部３１は出力切り換え時間間隔を設定する画面を表示する（ステップＳ６８、図１２（１）参照）。ユーザが例えば、１分間隔としたいとき、「１分」にカーソルを合わせ、確定キーを押すと、一時登録される（ステップＳ６９、Ｓ７０）。若し、音声データの時間長としたいとき、「音声データ長」を選択すれば良い。
以上で、「新入学」のタイトルに関するグループ化再生条件の設定が終ったので、制御部３１は今回の１グループ分のグループ化再生条件（画像データ群と音声データ群を特定するファイル名、画像データ群と音声データ群の出力順位、出力切り換え時間間隔）を親メモリカード９の「新入学」のフリータイトルフォルダの下位に関連付けられたグループ化再生条件情報として記憶させて登録する（ステップＳ７１）。そして、元のメニュー画面に戻す。
同様にして、親メモリカード９に記憶された画像データと音声データを対象として他のタイトル固定フォルダまたはフリータイトルフォルダに他のグループのグループ化再生条件の設定・登録をすることができ、この際、先に設定した他のグループで使用した画像データまたは音声データを重複使用することができる。
【００２２】
（５）グループ化再生（プレイリストの再生）
自装置または他装置で画像データと音声データの蓄積、グループ化再生条件情報の設定・登録をした親メモリカード９を再生させたい場合、メニュー画面で「プレイリストの再生」を選択する。すると、制御部３１は、親メモリカード９のプレイリスト格納フォルダの各下位フォルダを参照して、グループ化再生条件情報の既登録のフォルダにつき、タイトル名一覧を表示させる（図７のステップＳ９０、Ｓ９１、図１２（２）参照）。ユーザが所望の１または複数のグループに係るタイトルを選択し、再生開始ボタンＢ２２にカーソルを合わせて確定キーを押すと、制御部３１は選択順に内蔵メモリ部３０に一時登録し（ステップＳ９２、Ｓ９３）、まず、選択された最初のタイトルのグループ化再生条件情報を読み出す。そして、画像と音声につき出力順位の設定があるものは出力順位順に並べ替え、出力順位の設定がないものはファイル名をａｂｃ順またはランダムに並べ替えて再生順にする（ステップＳ９４）。そして、再生順の１番目の画像データを親メモリカード９から読み出し、画像デコーダ部２３に出力して画像記憶部２４に伸長させ、Ｄ／Ａ変換部２５で映像信号に変換させて表示部４に出力させる（ステップＳ９５、Ｓ９６、Ｓ９７）。表示部４は映像信号に基づき静止画の表示を行なう。画像出力と並行して、親メモリカード９から再生順の１番目の音声データを読み出し、音声デコーダ部２６に出力して伸長させ、Ｄ／Ａ変換部２７で音声信号に変換させてアンプ２８に出力させる（ステップＳ９８、Ｓ９９）。アンプ出力に基づきスピーカ２９が音響再生する。
【００２３】
次に、制御部３１は出力切り換え時間間隔が分秒の単位の一定時間間隔で設定されているときは、該当する時間が経過するのを待ち（ステップＳ１００、Ｓ１０１）、経過したとき、再生順の次の画像データが存在するかチェックし（ステップＳ１０２、Ｓ９６）、あれば親メモリカード９から画像データを読み出し、画像デコーダ部２３に出力して伸長させ、Ｄ／Ａ変換部２５で映像信号に変換させて表示部４に出力させる（ステップＳ９７）。また、再生順の次の音声データが存在するかチェックし（ステップＳ９８）、あれば親メモリカード９から音声データを読み出し、音声デコーダ部２６に出力して伸長させ、Ｄ／Ａ変換部２７で音声信号に変換させてアンプ２８に出力させる。以下、同様の動作を繰り返す。若し、次の音声データがなければ再生順の１番目の音声データを再生出力させる（ステップＳ９８でＮＯ、Ｓ１０５、Ｓ９９）。
その後、次の画像データがなければ今回のグループ再生を終え、他に再生の指示されたグループがあれば同様に再生する（ステップＳ９６でＮＯ、Ｓ１０６〜Ｓ１０８、Ｓ９５）。
例えば、「新入学」のタイトルのグループ化再生条件情報が図１３（１）の如くであったとき、図１３（２）の如く画像と音声が並行かつ同期して切り換え出力される。
若し、出力切り換え時間間隔が「音声データ長」であったなら（ステップＳ１００でＮＯ、Ｓ１０３でＹＥＳ）、制御部３１は、音声デコーダ部２６から入力される経過時間情報を音声データファイルに付属したメタデータ中の音声データ時間長と比較しながら、現在再生中の音声データが最後まで再生されるのを待って、次の画像と音声への切り換えを行なう（ステップＳ１０４、Ｓ１０２）。例えば、「新入学」のタイトルのグループ化再生条件情報が図１３（３）の如くであったとき、図１３（４）の如く画像と音声が並行かつ同期して切り換え出力される。
【００２４】
この実施例によれば、親メモリカード９に蓄積された画像データと音声データを対象にして１以上の画像データと１以上の音声データをグループ化し、画像と音声を並行かつ同期して切り換え出力するためのグループ化再生条件を設定すると、該グループ化再生条件情報がグループ毎に親メモリカード９に登録され、所望グループの再生を指示すると、グループ化再生条件情報に従い、グループ化された画像データと音声データを用いて、設定された条件下で画像と音声が並行かつ同期して切り換えられながら再生されるので、ディジタルフォトフレーム１だけを用いて簡単な操作で画像と音声を連動させた高度な再生出力が可能となる。
また、親メモリカード９に画像データと音声データに加えてグループ化再生条件情報が登録されるので、親メモリカード９を同種のディジタルフォトフレーム１を有する他の人に渡し、設定者の意図通りに再生させることもできる。
更に、ディジタルフォトフレーム１により、子メモリカード８から親メモリカード９へ画像データと音声データを転送できるので、ディジタルカメラやオーディオシステム等で子メモリカード８に記録させた画像データや音声データを簡単に親メモリカード９へ蓄積することもできる。
【００２５】
なお、ユーザが所望グループの再生を指示する際、合わせて画像単独（または音声単独）を指示したとき、制御部３１は、音声は消したまま画像についてだけ切り換え出力させる（または画像は消したまま音声についてだけ切り換え出力させる）ようにしても良い。また、ユーザが所望グループの再生を指示する際、グループ化再生条件の一部を一時的に変更できるようにしても良く、例えば、出力切り換え時間間隔を設定時間から音声データ時間長にするなどしたり、出力順位を設定順位からランダムにするなどしたりできるようにしても良い。
また、グループ化再生条件で、１つの音声データの再生開始後と終了直前にフェードイン、フェードアウトをする／しないの設定が可能としても良い。
【産業上の利用可能性】
【００２６】
本発明は、画像表示機能と音声出力機能を備えた各種の映像・音声再生装置に適用できる。
【符号の説明】
【００２７】
１  ディジタルフォトフレーム
４  表示部
６  子側メモリスロット
７  親側メモリスロット
８  子メモリカード
９  親メモリカード
１０  手元操作器
２０  第１リード／ライト部
２１  第２リードライ部
２３  画像デコーダ部
２４  画像記憶部
２６  音声デコーダ部
２９  スピーカ
３１  制御部
【図１】
2011087210.tif 000003
【図２】
2011087210.tif 000004
【図３】
2011087210.tif 000005
【図４】
2011087210.tif 000006
【図５】
2011087210.tif 000007
【図６】
2011087210.tif 000008
【図７】
2011087210.tif 000009
【図８】
2011087210.tif 000010
【図９】
2011087210.tif 000011
【図１０】
2011087210.tif 000012
【図１１】
2011087210.tif 000013
【図１２】
2011087210.tif 000014
【図１３】
2011087210.tif 000015